(57)【要約】【課題】意匠性を高めつつ、販売コストを低減させる。【解決手段】ドア開口縦縁部構造１０は、建物の壁６４に形成されドア６２によって開閉されるドア開口７４における縦縁を構成すると共に、ドア６２とドア厚さ方向に対向される戸当り２０を有して構成された下地枠１４と、下地枠１４に対するドア開口７４と反対側に設けられて下地枠１４を支持すると共に、壁６４を構成する壁本体１２と、壁本体１２及び下地枠１４を覆うクロス３８と、を備えている。この構成によれば、下地枠１４がドア開口７４における縦縁を構成しており、下地枠１４が壁本体１２と共にクロス３８によって覆われているので、ドア開口７４の縦縁部における意匠性を高めることができる。また、縦枠自体が存在しないので、縦枠の在庫管理も不要であり、販売コストを低減することができる。【選択図】図２
2011021459.tif 000002
【特許請求の範囲】
【請求項１】
建物の壁に形成されドアによって開閉されるドア開口における縦縁を構成すると共に、前記ドアが前記ドア開口を閉じる位置にあるときに前記ドアとドア厚さ方向に対向される戸当りを有して構成された下地枠と、
前記下地枠に対する前記ドア開口と反対側に設けられて前記下地枠を支持すると共に、前記壁を構成する壁本体と、
前記壁本体及び前記下地枠を覆う仕上げ材と、
を備えたドア開口縦縁部構造。
【請求項２】
前記下地枠は、前記壁の上端及び下端と接続された天井及び床によって上縁及び下縁が構成された前記ドア開口における縦縁を構成する、
請求項１に記載のドア開口縦縁部構造。
【請求項３】
前記仕上げ材は、
前記壁の幅方向に延在されると共に、前記壁に対する厚さ方向一方側から前記壁本体及び前記下地枠の下端側を覆う第一幅木と、
前記壁の幅方向に延在されると共に、前記壁に対する厚さ方向他方側から前記壁本体及び前記下地枠の下端側を覆う第二幅木と、
前記壁の厚さ方向に延在されて、前記第一幅木及び前記第二幅木を連結すると共に、前記下地枠に対する前記ドア開口側から前記下地枠の下端側を覆う第三幅木と、
を有し、
前記下地枠の下端側には、前記壁の厚さ方向に延びると共に、前記ドア開口側に開口する幅木収容溝が形成され、
前記第三幅木は、前記幅木収容溝に収容されている、
請求項１又は請求項２に記載のドア開口縦縁部構造。
【請求項４】
前記戸当りにおける前記ドアとの対向面には、戸当り板が設けられている、
請求項１〜請求項３のいずれか一項に記載のドア開口縦縁部構造。
【請求項５】
前記壁本体に対する前記下地枠の取付位置及び取付姿勢の少なくとも一方を調節するための調節具を備えた、
請求項１〜請求項４のいずれか一項に記載のドア開口縦縁部構造。
【請求項６】
前記壁本体に対して前記下地枠を弾性支持する弾性支持部材を備え、
前記下地枠と前記壁本体との間の隙間に設けられたパテ材は、前記壁の内側から前記弾性支持部材によって支持されている、
請求項１〜請求項５のいずれか一項に記載のドア開口縦縁部構造。
【請求項７】
前記壁本体は、柱を有し、
前記柱に対して前記下地枠を弾性支持する弾性支持部材と、
前記下地枠を前記柱に固定するビスと、
前記柱と前記下地枠との間の隙間に嵌合状態で挿入された挿入部材と、
を備えた、
請求項１〜請求項４のいずれか一項に記載のドア開口縦縁部構造。
【請求項８】
ドアと、
前記ドアによって開閉されるドア開口が形成されると共に、請求項１〜請求項７のいずれか一項に記載のドア開口縦縁部構造が適用された建物の壁と、
を備えたドア構造。
【請求項９】
建物の壁に形成されドアによって開閉されるドア開口における縦縁を構成すると共に、前記ドアが前記ドア開口を閉じる位置にあるときに前記ドアとドア厚さ方向に対向される戸当りを有して構成された下地枠。
【発明の詳細な説明】
【技術分野】
【０００１】
本発明は、ドア開口縦縁部構造及びドア構造並びに下地枠に関する。
【背景技術】
【０００２】
従来、建物の壁に適用されるドア開口縦縁部構造としては、次のものが知られている（例えば、特許文献１〜３参照）。
【０００３】
すなわち、特許文献１に記載のドア開口縦縁部構造は、ドア開口における縦縁を構成し戸当りを有する縦枠と、この縦枠に対するドア開口と反対側に設けられた一対の壁板と、この縦枠及び一対の壁板を支持する柱と、各壁板を覆うクロスとを備えている。
【０００４】
また、特許文献２に記載のドア開口縦縁部構造は、ドア開口における縦縁を構成し戸当りを有する縦枠と、この縦枠に対するドア開口と反対側に設けられた一対の壁板と、この縦枠及び一対の壁板を支持する柱と、壁板と縦枠とを連結するケーシングと、各壁板を覆うクロスとを備えている。
【０００５】
また、特許文献３に記載のドア開口縦縁部構造は、ドア開口における縦縁を構成し戸当りを有する縦枠と、この縦枠を支持する下地枠と、この下地枠に対するドア開口と反対側に設けられた一対の壁板と、この下地枠及び一対の壁板を支持する柱と、壁板及び下地枠を覆うクロスとを備えている。
【先行技術文献】
【特許文献】
【０００６】
【特許文献１】特開２００２−７０４２６号公報（図２）
【特許文献２】特開２００２−４７２０号公報（図４）
【特許文献３】特開２００７−１９７９８６号公報（図３）
【発明の概要】
【発明が解決しようとする課題】
【０００７】
しかしながら、上記各特許文献に記載のドア開口縦縁部構造では、次の問題がある。
【０００８】
すなわち、特許文献１、２に記載のドア開口縦縁部構造では、縦枠がドア開口における縦縁を構成しており、しかも、この縦枠がクロスから外部に露出されている。従って、縦枠が外部から視認可能な状態にあるので、ドア開口の縦縁部における意匠性が低いという問題がある。
【０００９】
また、この縦枠については、ドアと共に外部から視認可能な状態にあることから、ドアと同色にする必要がある。このため、このドア開口縦縁部構造を取り扱う業者は、ドアの色に合わせて各色の縦枠を在庫として揃える必要がある。さらに、この縦枠は、壁の厚さやドアの開閉方式（開き戸や引き戸等）によって形状や寸法が異なる。このため、この業者は、縦枠を壁の厚さやドアの開閉方式毎にも在庫として揃える必要がある。
【００１０】
しかしながら、各色の縦枠を壁の厚さやドアの開閉方式毎に在庫として揃えた場合、縦枠の在庫数が膨大となり、縦枠の在庫管理に非常に手間がかかると共に、縦枠を保管しておくための保管代も増大する。従って、販売コストが高くなるという問題がある。
【００１１】
一方、特許文献３に記載のドア開口縦縁部構造では、縦枠が下地枠に支持されている。このため、縦枠については、壁の厚さやドアの開閉方式（開き戸や引き戸等）が異なっても形状や寸法が同一で済む。従って、縦枠の在庫数の増大を抑制することができる。
【００１２】
しかしながら、この縦枠については、ドアと共に外部から視認可能な状態にあることから、ドアと同色にする必要があり、このドア開口縦縁部構造を取り扱う業者は、ドアの色に合わせて各色の縦枠を在庫として揃える必要がある。従って、販売コストは依然として高くなるという問題がある。
【００１３】
また、縦枠が外部から視認可能な状態にあるので、ドア開口の縦縁部における意匠性が低いという問題がある。
【００１４】
本発明は、上記問題に鑑みてなされたものであって、意匠性を高めつつ、販売コストを低減させることができるドア開口縦縁部構造及びドア構造並びに下地枠を提供することを目的とする。
【課題を解決するための手段】
【００１５】
前記課題を解決するために、請求項１に記載のドア開口縦縁部構造は、建物の壁に形成されドアによって開閉されるドア開口における縦縁を構成すると共に、前記ドアが前記ドア開口を閉じる位置にあるときに前記ドアとドア厚さ方向に対向される戸当りを有して構成された下地枠と、前記下地枠に対する前記ドア開口と反対側に設けられて前記下地枠を支持すると共に、前記壁を構成する壁本体と、前記壁本体及び前記下地枠を覆う仕上げ材と、を備えている。
【００１６】
このドア開口縦縁部構造によれば、下地枠がドア開口における縦縁を構成しており、しかも、この下地枠は、壁本体と共に仕上げ材によって覆われている。従って、縦枠が存在せず、しかも、下地枠は外部から視認されないので、ドア開口の縦縁部がすっきりとした状態となり、このドア開口の縦縁部における意匠性を高めることができる。
【００１７】
また、下地枠は、仕上げ材によって覆われることにより外部から視認されないので、このドア開口縦縁部構造を取り扱う業者は、この下地枠については、ドアと同色のものを在庫として揃える必要が無い。さらに、縦枠自体が存在しないので、縦枠の在庫管理も不要である。これにより、販売コストを低減することができる。
【００１８】
請求項２に記載のドア開口縦縁部構造は、請求項１に記載のドア開口縦縁部構造において、前記下地枠が、前記壁の上端及び下端と接続された天井及び床によって上縁及び下縁が構成された前記ドア開口における縦縁を構成するものである。
【００１９】
このドア開口縦縁部構造によれば、天井及び床によって上縁及び下縁が構成されており、ドア開口の縦縁が天井及び床にまで延びているので、このドア開口の縦縁部における意匠性をより一層高めることができる。
【００２０】
請求項３に記載のドア開口縦縁部構造は、請求項１又は請求項２に記載のドア開口縦縁部構造において、前記仕上げ材が、前記壁の幅方向に延在されると共に、前記壁に対する厚さ方向一方側から前記壁本体及び前記下地枠の下端側を覆う第一幅木と、前記壁の幅方向に延在されると共に、前記壁に対する厚さ方向他方側から前記壁本体及び前記下地枠の下端側を覆う第二幅木と、前記壁の厚さ方向に延在されて、前記第一幅木及び前記第二幅木を連結すると共に、前記下地枠に対する前記ドア開口側から前記下地枠の下端側を覆う第三幅木と、を有し、前記下地枠の下端側に、前記壁の厚さ方向に延びると共に、前記ドア開口側に開口する幅木収容溝が形成され、前記第三幅木が、前記幅木収容溝に収容された構成とされている。
【００２１】
このドア開口縦縁部構造によれば、壁本体及び下地枠の下端側は、第一幅木、第二幅木、第三幅木によってそれぞれ覆われている。従って、この第一幅木、第二幅木、第三幅木によって、壁本体及び下地枠の下端側を保護することができると共に、この壁本体及び下地枠の下端側における意匠性を高めることができる。
【００２２】
また、下地枠の下端側には、ドア開口側に開口すると共に壁の厚さ方向に延びる幅木収容溝が形成されており、第三幅木は、この幅木収容溝に収容されている。従って、第三幅木が下地枠からドア側へ出っ張ることを抑制することができるので、ドアの開閉時に、この第三幅木がドアと干渉することを抑制することができる。
【００２３】
請求項４に記載のドア開口縦縁部構造は、請求項１〜請求項３のいずれか一項に記載のドア開口縦縁部構造において、前記戸当りにおける前記ドアとの対向面に戸当り板が設けられた構成とされている。
【００２４】
仮に、戸当りにおけるドアとの対向面が仕上げ材で覆われていると、ドアを閉じたときに、この仕上げ材とドアとが干渉して仕上げ材が損傷する虞がある。
【００２５】
これに対し、このドア開口縦縁部構造によれば、戸当りにおけるドアとの対向面には、戸当り板が設けられているので、戸当りに仕上げ材を形成する必要を無くすことができ、ひいては、仕上げ材の損傷を抑制することができる。
【００２６】
請求項５に記載のドア開口縦縁部構造は、請求項１〜請求項４のいずれか一項に記載のドア開口縦縁部構造において、前記壁本体に対する前記下地枠の取付位置及び取付姿勢の少なくとも一方を調節するための調節具をさらに備えた構成とされている。
【００２７】
このドア開口縦縁部構造によれば、壁本体に対する下地枠の取付位置及び取付姿勢の少なくとも一方を調節具によって調節することができるので、下地枠の取付状態を良好にでき、ドア開口の縦縁部における意匠性をさらに向上させることができる。
【００２８】
請求項６に記載のドア開口縦縁部構造は、請求項１〜請求項５のいずれか一項に記載のドア開口縦縁部構造において、前記壁本体に対して前記下地枠を弾性支持する弾性支持部材をさらに備え、前記下地枠と前記壁本体との間の隙間に設けられたパテ材が前記壁の内側から前記弾性支持部材によって支持された構成とされている。
【００２９】
このドア開口縦縁部構造によれば、弾性支持部材によって下地枠が壁本体に対して弾性支持されているので、壁本体に対する下地枠のガタツキを抑制することができる。また、下地枠と壁本体との間の隙間に設けられたパテ材は、上述の弾性支持部材によって壁の内側から支持されているので、これにより、パテ材が壁の内側に入り込んでしまうことを抑制できる。これにより、仕上げ材における下地枠と壁板との間の部分に窪み等が生じることを抑制することができる。
【００３０】
請求項７に記載のドア開口縦縁部構造は、請求項１〜請求項４のいずれか一項に記載のドア開口縦縁部構造において、前記壁本体が柱を有し、前記柱に対して前記下地枠を弾性支持する弾性支持部材と、前記下地枠を前記柱に固定するビスと、前記柱と前記下地枠との間の隙間に嵌合状態で挿入された挿入部材と、をさらに備えている。
【００３１】
このドア開口縦縁部構造では、例えば、次の要領で柱に下地枠が支持される。すなわち、柱と下地枠の間の隙間に弾性支持部材を配置して柱に対して下地枠を弾性支持すると共に、下地枠をビスによって柱に固定する。このとき、ビスの位置やねじ込み量等を調節することにより柱に対する下地枠の取付位置や取付姿勢を調節する。続いて、柱と下地枠との間の隙間に挿入部材を嵌合状態で挿入する。この要領で柱に下地枠が支持される。このように挿入部材を用いると、下地枠が柱に対してぐらつかないように、下地枠を柱にしっかりと固定することができる（下地枠の柱に対する固定度を高めることができる）。
【００３２】
また、前記課題を解決するために、請求項８に記載のドア構造は、ドアと、前記ドアによって開閉されるドア開口が形成されると共に、請求項１〜請求項７のいずれか一項に記載のドア開口縦縁部構造が適用された建物の壁と、を備えている。
【００３３】
このドア構造によれば、請求項１〜請求項７のいずれか一項に記載のドア開口縦縁部構造を備えるので、このドア開口の縦縁部及びドアを含むドア構造全体の意匠性を高めることができる。
【００３４】
また、前記課題を解決するために、請求項８に記載の下地枠は、建物の壁に形成されドアによって開閉されるドア開口における縦縁を構成すると共に、前記ドアが前記ドア開口を閉じる位置にあるときに前記ドアとドア厚さ方向に対向される戸当りを有して構成されたものである。
【００３５】
この下地枠によれば、戸当りを有しているので、ドア開口における縦縁として用いることができる。しかも、この下地枠をこれと隣接する壁本体と共に仕上げ材によって覆えば、この下地枠を備えたドア開口縦縁部構造においては、縦枠が存在せず、しかも、下地枠は外部から視認されないので、ドア開口の縦縁部がすっきりとした状態となり、このドア開口の縦縁部における意匠性を高めることができる。
【００３６】
また、下地枠を仕上げ材によって覆って外部から視認されないようにすれば、このドア開口縦縁部構造を取り扱う業者は、この下地枠については、ドアと同色のものを在庫として揃える必要が無い。さらに、縦枠自体も不要にできるので、縦枠の在庫管理も不要にできる。これにより、販売コストを低減することができる。
【発明の効果】
【００３７】
以上詳述したように、本発明によれば、意匠性を高めつつ、販売コストを低減させることができる。
【図面の簡単な説明】
【００３８】
【図１】本発明の一実施形態に係るドア構造の全体構成を示す正面図である。
【図２】図１に示されるドア構造の平面断面図である。
【図３】図１に示されるドア構造の平面断面図である。
【図４】図１に示される一方のドア開口縦縁部構造の下端側を示す斜視図である。
【図５】図１に示されるドア構造の平面断面図である。
【図６】本発明の一実施形態に係るドア構造の変形例を示す図である。
【図７】本発明の一実施形態に係るドア構造の変形例を示す図である。
【図８】本発明の一実施形態に係るドア構造の変形例を示す図である。
【図９】本発明の一実施形態に係るドア構造の変形例を示す図である。
【図１０】図９の１０−１０線断面図である。
【図１１】図９の１１−１１線断面図である。
【図１２】図９に示される挿入部材としての楔の斜視図である。
【図１３】本発明の一実施形態に係るドア構造の変形例を示す図である。
【図１４】図１３に示されるドア構造の異なる位置での断面を示す図である。
【図１５】挿入部材の他の例である木パッキンの斜視図である。
【図１６】本発明の一実施形態に係るドア構造の変形例を示す図である。
【図１７】本発明の一実施形態に係るドア構造の変形例を示す図である。
【図１８】本発明の一実施形態に係るドア構造の変形例を示す図である。
【図１９】本発明の一実施形態に係るドア構造の変形例を示す図である。
【図２０】第一比較例に係るドア構造の全体構成を示す正面図である。
【図２１】図２０に示されるドア構造の平面断面図である。
【図２２】第二比較例に係るドア構造の全体構成を示す正面図である。
【図２３】図２２に示されるドア構造の平面断面図である。
【図２４】第三比較例に係るドア構造の全体構成を示す正面図である。
【図２５】図２４に示されるドア構造の平面断面図である。
【発明を実施するための形態】
【００３９】
以下、図面に基づき、本発明の一実施形態について説明する。
【００４０】
図１に示される本発明の一実施形態に係るドア構造６０は、例えば、一戸建て住宅や集合住宅等の建物に適用されるものであり、ドア６２と、壁６４とを備えている。
【００４１】
ドア６２は、所謂、フルハイトドア（登録商標）と称されるものであり、床６８から天井６６に至る高さ（例えば、高さ２４００ｍｍ以上）を有している。
【００４２】
このドア６２の上端側及び下端側には、一例として、一対のピボット型ヒンジ７０，７２が設けられている。そして、このドア６２の上端側及び下端側は、この一対のピボット型ヒンジ７０，７２によって天井６６及び床６８に対して回動可能に支持されている。なお、ドア６２は、この一対のピボット型ヒンジ７０，７２の代わりに、ドア６２の内部に内蔵された隠しヒンジによって天井６６及び床６８に対して回動可能に支持されていても良い。
【００４３】
壁６４は、ドア６２に対するドア幅方向（Ｗ方向）両側に設けられた一対の壁６４Ａ，６４Ｂによって構成されており、この一対の壁６４Ａ，６４Ｂの間は、上述のドア６２によって開閉されるドア開口７４として構成されている。また、各壁６４Ａ，６４Ｂの上端及び下端は、天井６６及び床６８と接続されており、ドア開口７４の上縁及び下縁は、この天井６６及び床６８によって構成されている。
【００４４】
この各壁６４Ａ，６４Ｂには、本発明の一実施形態に係るドア開口縦縁部構造１０が適用されている。なお、一対の壁６４Ａ，６４Ｂは、ドア６２を中心とする線対称に構成されている。従って、ここでは、一方の壁６４Ａについて説明し、他方の壁６４Ｂについては説明を省略する。
【００４５】
壁６４Ａは、図２に示されるように、壁本体１２と下地枠１４を有して構成されている。壁本体１２は、下地枠１４に対するドア開口７４と反対側に設けられており、柱１６と、一対の壁板１８とを有して構成されている。柱１６は、例えば木製とされており、各壁板１８は、例えば石膏板により構成されている。柱１６は、上下方向に沿って延びており、一対の壁板１８は、柱１６に対する壁６４の厚さ方向（Ｔ方向）両側に配置され、この柱１６に支持されている。
【００４６】
下地枠１４は、柱１６に沿って上下方向に延びており、ドア開口７４における縦縁を構成している。また、下地枠１４は、ドア６２がドア開口７４を閉じる位置にあるときにドア６２とドア厚さ方向（Ｔ方向）に対向される戸当り２０を有している。戸当り２０は、下地枠１４の上下に亘って形成されている。
【００４７】
また、この下地枠１４と壁板１８との間には、弾性支持部材２２が設けられている。この弾性支持部材２２は、壁本体１２に対して下地枠１４を弾性支持する機能の他に、バックアップ材としての機能も備えている。つまり、下地枠１４と壁板１８との間には、隙間２４が形成されており、この隙間２４には、パテ材２６が設けられている。そして、このパテ材２６は、壁６４の内側から弾性支持部材２２によって支持されている。
【００４８】
また、この下地枠１４は、上下方向に間隔を空けた数箇所の位置で取付具２８（調節具）によって柱１６に取り付けられている。この取付具２８は、柱１６に固定された固定部３０と、下地枠１４に固定された回転部３２とを有して構成されている。
【００４９】
回転部３２は、固定部３０と螺合されており、取付具２８は、この固定部３０に対する回転部３２の螺合量が調節されることにより軸方向の長さが変更される構成とされている。また、この取付具２８は、固定部３０に対して回転部３２をロックするためのロック機構（不図示）を備えており、これにより、所望の軸方向の長さを維持できる構成とされている。なお、下地枠１４には、回転部３２の固定部３０に対する螺合量やロック機構を操作する工具を挿入するための孔部３４が形成されている。
【００５０】
そして、下地枠１４は、上下方向に間隔を空けた数箇所の位置で取付具２８の軸方向長さが変更されることによって、柱１６に対する取付位置（ドア６２との相対位置）及び取付姿勢（垂直度や直線度）が調節されている。また、この下地枠１４は、取付具２８がロック状態とされることにより上記調節が維持された状態で柱１６に固定されている。
【００５１】
なお、この取付具２８としては、例えば、特許第３２４５７７３号公報に記載のものが使用されていると好適である。また、下地枠１４が柱１６に対して捩りを生じている場合には、この下地枠１４の捩りが矯正されるように、下地枠１４の適宜箇所がビス３６（調節具）によって柱１６に固定されても良い。
【００５２】
そして、この壁本体１２及び下地枠１４は、壁６４の厚さ方向両側から一対のクロス３８（仕上げ材）によって覆われている。また、戸当り２０におけるドア６２との対向面には、戸当り板４０（仕上げ材）が設けられている。戸当り板４０は、例えば、長尺状のアルミプレートにより構成されており、戸当り２０におけるドア６２との対向面の全体を覆っている。また、この一対のクロス３８の境界側の端末は、戸当り板４０に対する両側で終端されている。なお、この戸当り板４０の表面には、例えば、モヘアが取り付けられていても良い。また、このモヘアは、クロス３８と同色とされていても良い。
【００５３】
また、図３，図４に示されるように、壁本体１２及び下地枠１４の下端側には、第一幅木４２、第二幅木４４、第三幅木４６（仕上げ材）が設けられている。第一幅木４２及び第二幅木４４は、壁６４の幅方向（Ｗ方向）に延在されており、第一幅木４２は、壁６４に対する厚さ方向一方側から壁本体１２及び下地枠１４の下端側を覆っており、第二幅木４４は、壁６４に対する厚さ方向他方側から壁本体１２及び下地枠１４の下端側を覆っている。また、第三幅木４６は、壁６４の厚さ方向（Ｔ方向）に延在されて、第一幅木４２及び第二幅木４４を連結すると共に、下地枠１４に対するドア開口７４側から下地枠１４の下端側を覆っている。
【００５４】
また、下地枠１４の下端側には、壁６４の厚さ方向に延びると共に、ドア開口７４側に開口する幅木収容溝４８が形成されており、第三幅木４６は、この幅木収容溝４８に収容されている。また、この幅木収容溝４８に収容された第三幅木４６は、その上側に位置するクロス３８と面一とされている。
【００５５】
また、図５に示されるように、ドア６２のノブ５０側に配置された一方の下地枠１４には、ドア６２のラッチ５２と整合する位置に、このラッチ５２と係合可能なストライカ５４が設けられている。このストライカ５４の戸当り２０側と反対側は、下地枠１４の角部よりも突出されるように延長されており、この延長された部分の先端側には、壁板１８側に屈曲された屈曲部５６が形成されている。そして、クロス３８における下地枠１４の角部を覆う部分は、この屈曲部５６によって保護されている。
【００５６】
次に、本発明の一実施形態の作用及び効果について説明する。
【００５７】
先ず、本発明の一実施形態に係る作用及び効果を明確にするために、比較例について説明する。なお、以下に説明する比較例において、上述の本発明の一実施形態と同一名称の部材については、比較の容易のために、同一符合を用いることとする。
【００５８】
図２０に示されるように、第一比較例に係るドア構造１６０では、ドア６２と天井６６との間に吊り壁６４Ｃが設けられており、ドア開口７４の上縁は、この吊り壁６４Ｃの下端に設けられた上枠７８によって構成されている。
【００５９】
また、図２１に示されるように、この第一比較例に係るドア開口縦縁部構造１１０は、ドア開口７４における縦縁を構成し戸当り２０を有する縦枠８０と、この縦枠８０に対するドア開口７４と反対側に設けられた一対の壁板１８と、この縦枠８０及び一対の壁板１８を支持する柱１６と、各壁板１８を覆うクロス３８とを備えている。
【００６０】
図２２に示されるように、第二比較例に係るドア構造２６０では、ドア６２と天井６６との間に上枠７８が設けられており、ドア開口７４の上縁は、この上枠７８によって構成されている。
【００６１】
また、図２３に示されるように、この第二比較例に係るドア開口縦縁部構造２１０は、ドア開口７４における縦縁を構成を構成し戸当り２０を有する縦枠８０と、この縦枠８０に対するドア開口７４と反対側に設けられた一対の壁板１８と、この縦枠８０及び一対の壁板１８を支持する柱１６と、壁板１８と縦枠８０とを連結するケーシング８２と、各壁板１８を覆うクロス３８とを備えている。
【００６２】
図２４に示されるように、第三比較例に係るドア構造３６０において、ドア６２は、所謂、フルハイトドア（登録商標）とされており、床６８から天井６６に至る高さ（例えば、高さ２４００ｍｍ以上）を有している。また、ドア開口７４の上縁及び下縁は、天井６６及び床６８によって構成されている。
【００６３】
また、図２５に示されるように、この第三比較例に係るドア開口縦縁部構造３１０は、ドア開口７４における縦縁を構成し戸当り２０を有する縦枠８０と、この縦枠８０を支持する下地枠１４と、この下地枠１４に対するドア開口７４と反対側に設けられた一対の壁板１８と、この下地枠１４及び一対の壁板１８を支持する柱１６と、壁板１８及び下地枠１４を覆うクロス３８とを備えている。
【００６４】
しかしながら、上記各比較例に係るドア開口縦縁部構造１１０，２１０，３１０では、次の問題がある。
【００６５】
すなわち、第一比較例に係るドア開口縦縁部構造１１０、第二比較例に係るドア開口縦縁部構造２１０では、縦枠８０がドア開口７４における縦縁を構成しており、しかも、この縦枠８０がクロス３８から外部に露出されている。従って、縦枠８０が外部から視認可能な状態にあるので、ドア開口７４の縦縁部における意匠性が低いという問題がある。
【００６６】
また、この縦枠８０については、ドア６２と共に外部から視認可能な状態にあることから、ドア６２と同色にする必要がある。このため、このドア開口縦縁部構造１１０，２１０を取り扱う業者は、ドア６２の色に合わせて各色の縦枠８０を在庫として揃える必要がある。さらに、この縦枠８０は、壁６４の厚さやドア６２の開閉方式（開き戸や引き戸等）によって形状や寸法が異なる。このため、この業者は、縦枠８０を壁６４の厚さやドア６２の開閉方式毎にも在庫として揃える必要がある。
【００６７】
しかしながら、各色の縦枠８０を壁６４の厚さやドア６２の開閉方式毎に在庫として揃えた場合、縦枠８０の在庫数が膨大となり、縦枠８０の在庫管理に非常に手間がかかると共に、縦枠８０を保管しておくための保管代も増大する。従って、販売コストが高くなるという問題がある。
【００６８】
一方、第三比較例に係るドア開口縦縁部構造３１０では、縦枠８０が下地枠１４に支持されている。このため、縦枠８０については、壁６４の厚さやドア６２の開閉方式（開き戸や引き戸等）が異なっても形状や寸法が同一で済む。従って、縦枠８０の在庫数の増大を抑制することができる。
【００６９】
しかしながら、この縦枠８０については、ドア６２と共に外部から視認可能な状態にあることから、ドア６２と同色にする必要があり、このドア開口縦縁部構造３１０を取り扱う業者は、ドア６２の色に合わせて各色の縦枠８０を在庫として揃える必要がある。従って、販売コストは依然として高くなるという問題がある。
【００７０】
また、縦枠８０が外部から視認可能な状態にあるので、ドア開口７４の縦縁部における意匠性が低いという問題がある。
【００７１】
さらに、第一比較例に係るドア構造１６０、第二比較例に係るドア構造２６０のように、ドア開口７４の上縁が上枠７８によって構成されている場合、ドア開口７４の上縁における意匠性が低いという問題がある。また、上枠７８についても、上述の縦枠８０と同様に在庫の問題が生じ、販売コストがさらに高くなるという問題がある。
【００７２】
これに対し、本発明の一実施形態に係るドア開口縦縁部構造１０によれば、下地枠１４がドア開口７４における縦縁を構成しており、しかも、この下地枠１４は、壁本体１２と共にクロス３８によって覆われている。従って、縦枠８０が存在せず、しかも、下地枠１４は外部から視認されないので、ドア開口７４の縦縁部がすっきりとした状態となり、このドア開口７４の縦縁部における意匠性を高めることができる。
【００７３】
また、下地枠１４は、クロス３８によって覆われることにより外部から視認されないので、このドア開口縦縁部構造１０を取り扱う業者は、この下地枠１４については、ドア６２と同色のものを在庫として揃える必要が無い。さらに、縦枠自体が存在しないので、縦枠の在庫管理も不要である。これにより、販売コストを低減することができる。
【００７４】
また、ドア６２と、上述のドア開口縦縁部構造１０が適用された壁６４とを備えたドア構造６０によれば、ドア開口７４の周縁には、枠が全く存在しないので、このドア開口７４の周縁及びドア６２を含むドア構造６０全体の意匠性を高めることができる。
【００７５】
特に、天井６６及び床６８によって上縁及び下縁が構成されており、ドア開口７４の縦縁が天井６６及び床６８にまで延びているので、このドア開口７４の縦縁部における意匠性をより一層高めることができる。
【００７６】
しかも、本発明の一実施形態に係るドア開口縦縁部構造１０によれば、上述の比較例と比較した有利な作用及び効果に加え、以下の作用及び効果を奏する。
【００７７】
すなわち、壁本体１２及び下地枠１４の下端側は、第一幅木４２、第二幅木４４、第三幅木４６によってそれぞれ覆われている。従って、この第一幅木４２、第二幅木４４、第三幅木４６によって、壁本体１２及び下地枠１４の下端側を保護することができると共に、この壁本体１２及び下地枠１４の下端側における意匠性を高めることができる。
【００７８】
また、下地枠１４の下端側には、ドア開口７４側に開口すると共に壁６４の厚さ方向に延びる幅木収容溝４８が形成されており、第三幅木４６は、この幅木収容溝４８に収容されている。従って、第三幅木４６が下地枠１４からドア６２側へ出っ張ることを抑制することができるので、ドア６２の開閉時に、この第三幅木４６がドア６２と干渉することを抑制することができる。
【００７９】
ところで、仮に、戸当り２０におけるドア６２との対向面がクロス３８で覆われていると、ドア６２を閉じたときに、このクロス３８とドア６２とが干渉してクロス３８が損傷する虞がある。
【００８０】
これに対し、このドア開口縦縁部構造１０によれば、戸当り２０におけるドア６２との対向面には、戸当り板４０が設けられているので、戸当り２０にクロス３８を形成する必要を無くすことができ、ひいては、クロス３８の損傷を抑制することができる。
【００８１】
また、柱１６に対する下地枠１４の取付位置及び取付姿勢を取付具２８及びビス３６によって調節することができるので、下地枠１４の取付状態を良好にでき、ドア開口７４の縦縁部における意匠性をさらに向上させることができる。
【００８２】
また、弾性支持部材２２によって下地枠１４が壁本体１２に対して弾性支持されているので、壁本体１２に対する下地枠１４のガタツキを抑制することができる。
【００８３】
また、下地枠１４と壁本体１２との間の隙間２４に設けられたパテ材２６は、上述の弾性支持部材２２によって壁６４の内側から支持されているので、これにより、パテ材２６が壁６４の内側に入り込んでしまうことを抑制できる。これにより、クロス３８における下地枠１４と壁板１８との間の部分に窪み等が生じることを抑制することができる。
【００８４】
次に、本発明の一実施形態の変形例について説明する。
【００８５】
上記実施形態において、取付具２８は、戸当り２０に対するドア６２と反対側に配置されていたが、図６に示されるように、戸当り２０に対するドア６２側に配置されていても良い。
【００８６】
また、上記実施形態において、パテ材２６は、弾性支持部材２２によって壁６４の内側から支持されていたが、図７に示されるように、下地枠１４から柱１６に向けて突出された突出部８４によって壁６４の内側から支持されていても良い。また、この場合に、弾性支持部材２２は、柱１６と下地枠１４との間に設けられていても良い。
【００８７】
また、上記実施形態において、柱１６に対する下地枠１４の取付位置及び取付姿勢を調節するための調節具として、取付具２８及びビス３６が用いられていたが、図８に示されるように、調節金具８６が用いられても良い。なお、この調節金具８６としては、例えば、特許第３３８５５２５号公報に記載のものが使用されていると好適である。
【００８８】
また、上記実施形態においては、柱１６に対する下地枠１４の取付位置及び取付姿勢を調節するための調節具として、図９，図１０に示されるように、複数のビス３６が用いられていても良い。
【００８９】
なお、この変形例では、図９に示されるように、複数のビス３６が下地枠１４における高さ方向の略等間隔の位置にねじ込まれている。また、この複数のビス３６は、戸当り２０に対する両側にそれぞれ配列されている。そして、下地枠１４は、この複数のビス３６によって柱１６に固定されている。また、柱１６と下地枠１４の間の隙間２４には、図１０に示されるように、弾性支持部材２２が配置されており、下地枠１４は、この弾性支持部材２２によって柱１６に対して弾性支持されている。
【００９０】
さらに、柱１６と下地枠１４との間の隙間２４には、図１１に示されるように、挿入部材としての楔２５が嵌合状態で挿入されている。この楔２５は、例えば、木製とされており、図１２に示されるように、テーパ状に形成されている。また、この楔２５は、図９に示されるように、複数のビス３６の間に配置されている。
【００９１】
そして、この変形例では、例えば、次の要領で柱１６に下地枠１４が支持される。すなわち、図１１に示されるように、柱１６と下地枠１４の間の隙間２４に弾性支持部材２２を配置して柱１６に対して下地枠１４を弾性支持すると共に、図１０に示されるように、下地枠１４を複数のビス３６によって柱１６に固定する。このとき、複数のビス３６の位置やねじ込み量等を調節することにより柱１６に対する下地枠１４の取付位置や取付姿勢を調節する。
【００９２】
続いて、図１１に示されるように、柱１６と下地枠１４との間の隙間２４に楔２５を嵌合状態で挿入し、この楔２５における隙間２４から飛び出た余分な部分については、例えば、この楔２５の木目２５Ａ（図１２参照）に沿って折って除去する。なお、楔２５の挿入前に楔２５の先端に接着剤を塗布しておき、楔２５を柱１６及び下地枠１４と接着させても良い。そして、この要領で柱１６に下地枠１４が支持される。このように楔２５を用いると、下地枠１４が柱１６に対してぐらつかないように、下地枠１４を柱１６にしっかりと固定することができる（下地枠１４の柱１６に対する固定度を高めることができる）。
【００９３】
なお、上述の図９〜図１２に示される変形例では、一対の壁板１８が柱１６に取り付けられる前の状態において隙間２４に楔２５が挿入されていたが、図１３，図１４に示される変形例のように、一対の壁板１８が柱１６に取り付けられた後の状態において隙間２４に楔２５が挿入されても良い。つまり、楔２５が隙間２４に挿入されてから、一対の壁板１８が柱１６に取り付けられても良く、また、一対の壁板１８が柱１６に取り付けられてから、楔２５が隙間２４に挿入されても良い。
【００９４】
また、図１２に示される楔２５の代わりに、挿入部材として、図１５に示される木パッキン２７が用いられても良い。
【００９５】
また、上記実施形態及び変形例では、調節具によって柱１６に対する下地枠１４の取付位置及び取付姿勢の両方を調節していたが、調節具によって柱１６に対する下地枠１４の取付位置及び取付姿勢の一方のみを調節しても良い。
【００９６】
また、上記実施形態において、ストライカ５４は、戸当り板４０と別体に構成されていたが、図１６に示されるように、戸当り板４０と一体に構成されていても良い。
【００９７】
また、上記実施形態において、下地枠１４に形成された孔部３４は、空洞とされていたが、図１７に示されるように、キャップ８８及びパテ材９０によって埋められていても良い。
【００９８】
また、上記実施形態において、ドア６２は、床６８から天井６６に至る、所謂、フルハイトドア（登録商標）とされていたが、図１８に示されるように、通常の高さ（例えば、高さ２０００ｍｍ）を有していても良い。また、この場合に、ドア６２と天井６６との間には、吊り壁６４Ｃが設けられ、ドア開口７４の上縁は、この吊り壁６４Ｃの下端によって構成されていても良い。
【００９９】
また、上記実施形態において、ドア６２は、開き戸とされていたが、図１９に示されるように、引き戸や吊り戸とされていても良い。
【０１００】
また、上記実施形態において、壁板１８及び下地枠１４は、クロス３８によって覆われていたが、仕上げ材としての壁塗り材によって覆われていても良い。
【０１０１】
以上、本発明の一実施形態及びその変形例について説明したが、本発明は、上記に限定されるものでなく、上記以外にも、その主旨を逸脱しない範囲内において種々変形して実施することが可能であることは勿論である。
【符号の説明】
【０１０２】
１０  ドア開口縦縁部構造
１２  壁本体
１４  下地枠
２０  戸当り
２２  弾性支持部材
２４  隙間
２５  楔（挿入部材）
２６  パテ材
２７  木パッキン（挿入部材）
２８  取付具（調節具）
３６  ビス（調節具）
３８  クロス（仕上げ材の一部）
４０  戸当り板（仕上げ材の一部）
４２  第一幅木（仕上げ材の一部）
４４  第二幅木（仕上げ材の一部）
４６  第三幅木（仕上げ材の一部）
４８  幅木収容溝
６０  ドア構造
６２  ドア
６４  壁
６６  天井
６８  床
７４  ドア開口
８６  調節金具（調節具）
【図１】
2011021459.tif 000003
【図２】
2011021459.tif 000004
【図３】
2011021459.tif 000005
【図４】
2011021459.tif 000006
【図５】
2011021459.tif 000007
【図６】
2011021459.tif 000008
【図７】
2011021459.tif 000009
【図８】
2011021459.tif 000010
【図９】
2011021459.tif 000011
【図１０】
2011021459.tif 000012
【図１１】
2011021459.tif 000013
【図１２】
2011021459.tif 000014
【図１３】
2011021459.tif 000015
【図１４】
2011021459.tif 000016
【図１５】
2011021459.tif 000017
【図１６】
2011021459.tif 000018
【図１７】
2011021459.tif 000019
【図１８】
2011021459.tif 000020
【図１９】
2011021459.tif 000021
【図２０】
2011021459.tif 000022
【図２１】
2011021459.tif 000023
【図２２】
2011021459.tif 000024
【図２３】
2011021459.tif 000025
【図２４】
2011021459.tif 000026
【図２５】
2011021459.tif 000027